【事件の表示】
　特願２００７−１４２３１９「ポイント入力システムのイメージ処理における校正方法とポイント入力システムのイメージ処理における追跡方法」拒絶査定不服審判事件〔平成１９年１２月１３日出願公開、特開２００７−３２２４２９〕について、次のとおり審決する。
【結　論】
　本件審判の請求は、成り立たない。
【理　由】
第１　手続きの経緯
　この審判事件に関する出願（以下、「本件出願」という。）は、２００６年（平成１８年）６月１日に台湾でされた特許出願に基づくパリ条約の優先権を主張して、平成１９年５月２９日にされた出願である。そして、平成２２年４月３０日付けの手続補正により明細書及び特許請求の範囲についての補正がされ、平成２２年６月７日付けで拒絶査定がされ、平成２２年６月１５日に査定の謄本が送達された。これに対して、平成２２年１０月１４日に拒絶査定不服審判が請求され、同時に特許請求の範囲についての補正（以下、「本件補正」という。）がされた。
　
第２　本件補正についての補正の却下の決定
１．結論
　本件補正を却下する。
　
２．理由
（１）補正の内容
　本件補正は、本件補正前の特許請求の範囲（平成２２年４月３０日付けの手続補正により補正された特許請求の範囲をいう。以下同じ。）の請求項１を、以下のように補正するものである。なお、下線は補正箇所を示す。
　
（本件補正前）
「【請求項１】
　（ａ）スクリーンに校正用テストパターンを表示する工程と、
　（ｂ）キャッチ装置が前記スクリーンを撮影することにより、前記校正用テストパターンの校正イメージを求める工程と、
　（ｃ）前記校正イメージよりカラーチャネルイメージを生成する工程と、
　（ｄ）前記カラーチャネルイメージの中の興味のあるゾーンをスキャンして校正データを求める工程と、
　（ｅ）前記校正データと予め決めた参考データとを比較して前記スクリーンと前記キャッチ装置間の三次元相対位置関係を求める工程と、
　を含むことを特徴とするポイント入力システムのイメージ処理における校正方法。」
　
（本件補正後）
「【請求項１】
　（ａ）スクリーンに校正用テストパターンを表示する工程と、
　（ｂ）
光フィルタ付き
　（ｃ）前記校正イメージより
単一又は合成の
　（ｄ）前記
単一又は合成の
　（ｅ）前記校正データと予め決めた参考データとを比較して前記スクリーンと前記キャッチ装置間の三次元相対位置関係を求める工程と、
　を含むことを特徴とするポイント入力システムのイメージ処理における校正方法。」
　
　本件補正は、キャッチ装置を光フィルタ付きキャッチ装置に限定し、カラーチャネルイメージを単一又は合成のカラーチャネルイメージに限定するものであり、特許法第１７条の２第５項第２号の特許請求の範囲の減縮を目的とするものに該当する。
　そこで、本件補正後の請求項１に係る発明（以下、「本件補正発明」という。）が特許出願の際独立して特許を受けることができるものであるか（特許法第１７条の２第６項において準用する同法第１２６条第５項の規定に適合するか）について、以下に検討する。
　
（２）刊行物に記載された事項
　本件出願の優先日前に頒布され、原査定の拒絶の理由に引用された刊行物である刊行物１、並びに周知例１及び周知例２には、それぞれ以下に示す事項が図面とともに記載されている。
　
　　刊行物１：特開２００２−１４００５８号公報
　　周知例１：特表平１１−５０９６６０号公報
　　周知例２：特開２００１−３４４０６９号公報
　
ア．刊行物１：特開２００２−１４００５８号公報
【０００１】
【発明の属する技術分野】この発明は、操作者等の操作に従った画像を表示画面上に描画する画像表示装置、画像表示方法、および、プログラムに関する。
　
【００４７】（第１の実施の形態）図１は、この発明の第１の実施の形態にかかる描画システムの構成を示す図である。図示するように、この描画システムは、データ処理装置１と、画像入力部２と、表示部３と、発光部４とより構成されている。データ処理装置１は、画像入力部２及び表示部３に接続されている。
　
【００５６】（第１の実施の形態：動作）次に、この描画システムの動作を、図３〜図６を参照して説明する。図３は、描画処理を示すフローチャートである。図４は、画像解析処理を示すフローチャートである。図５は、スポット光抽出処理を示すフローチャートである。図６は、座標変換処理を示すフローチャートである。
【００５７】この描画システムが描画処理を開始すると、まず、画像入力部２が、表示部３の表示画面を撮像して、撮像した画像を表す画像データを作成し、この画像データを、データ処理装置１の中央制御部１１に供給する（図３、ステップＳ１）。この処理により表示部３の表示画面の画像が入力される。
　
【００６０】なお以下では、理解を容易にするため、表示部３の表示画面上に表示される画像が占め得る領域は、図７（ｂ）に示すように、…（略）…長方形Ａ’Ｂ’Ｃ’Ｄ’からなるものとする。そして、画像入力部２は、必ずしも表示部３の表示画面を正面から撮像するものではない。このため、画像入力部２がステップＳ１で作成する画像データが表す画像のうち上述の領域に相当する領域は、必ずしも長方形Ａ’Ｂ’Ｃ’Ｄ’に相似な形状とはならない。
【００６１】以下では、理解を容易にするため、画像入力部２がステップＳ１で作成する画像データが表す画像のうち長方形Ａ’Ｂ’Ｃ’Ｄ’が占める領域に相当する領域は、図７（ａ）に示すように、…（略）…四角形ＡＢＣＤからなるものとする。なお、作成された入力画像データに基づく画像において、点Ａの位置座標（ｘａ，ｙａ）、点Ｂの位置座標（ｘｂ，ｙｂ）、点Ｃの位置座標（ｘｃ，ｙｃ）、及び点Ｄの位置座標（ｘｄ，ｙｄ）は、画像解析処理以前の初期設定時においてユーザーが所定の操作、例えば、発光部４を用いて表示部３の表示画面上の４点をポイントし、その４点の位置座標を示すデータをインプットする、等の操作を行うことにより設定されるものとする。…（略）…
【００６２】（画像解析処理：スポット光抽出処理）中央制御部１１は、画像入力部２より画像データを供給されるとこの画像データをＲＡＭ１３に格納し、画像解析部１２に、画像解析処理の開始を指示する。画像解析部２は、この指示に従って、画像解析処理を開始する（ステップＳ２）。
【００６３】画像解析部１２は、ステップＳ２で、具体的にはまず、スポット光抽出処理を実行する（図４、ステップＳ２１）。…（略）…
　
【００６８】スポット光抽出処理が終了した時点での（ｘ，ｙ）は、ステップＳ１で画像入力部２が撮像した画像におけるスポットの位置のｘ軸方向成分及びｙ軸方向成分の値を表す。また、スポット光抽出処理が終了した時点でのＲｍａｘは、このスポットの位置の赤成分の輝度を表す。なお、以下では、スポット光抽出処理が終了した時点での（ｘ，ｙ）の値を、（ｘｓｐｏｔ，ｙｓｐｏｔ）とする。
【００６９】画像解析部１２は、スポット光抽出処理を終えると、座標変換処理を開始する（ステップＳ２２）。座標変換処理が始まると、画像解析部１２の座標変換部１２ｂは、まず、図６に示すように、ステップＳ２２１の処理を実行する。
【００７０】ステップＳ２２１で、座標変換部１２ｂは、初期設定により定められた点Ａ、Ｂ、Ｃ、Ｄの座標と、スポット光抽出処理によって分かったスポット（図７（ａ）に示す点Ｐ）の座標とに基づいて、以下説明する内分比ｓ及びｔ（ただし、ｓ及びｔはいずれも０以上１以下の値）を求める。
　
【００７５】次に、座標変換部１２ｂは、上記ステップＳ２２２で導出された内分比ｓ、ｔに基づいて、表示画面、すなわち図７（ｂ）に示す平面における点Ｐ’の座標（ｘｄｉｓｐ，ｙｄｉｓｐ）を求め、求めた各座標値ｘｄｉｓｐ及びｙｄｉｓｐと、スポット光抽出処理を終了した時点でのＲｍａｘとを、互いに対応付けてＲＡＭ１３に格納し（ステップＳ２２２）、座標変換処理を終える。…（略）…
　
【００７８】画像解析部１２は、座標変換処理を終えると、画像解析処理を終え、描画処理のステップＳ３へと処理を移す。…（略）…中央制御部１１は、表示部３の表示画面上、座標（ｘｄｉｓｐ，ｙｄｉｓｐ）に相当する位置に、Ｒｍａｘに相当する輝度を有するスポットを表示するよう、表示部３に指示する。…（略）…
【００７９】ステップＳ３でスポットが表示される位置は、表示画面上、発光部４が発する光が当たった位置となる。…（略）…
　
【００８３】また、図８に示すように、表示部３は、自ら表示画面を備える代わりに、壁面等の投影面に画像を投影するプロジェクタ等を備えていてもよい。この場合、画像入力部２は、表示部３が画像を投影している投影面の画像を撮像するものとし、この描画システムは、この投影面を表示部３の表示画面として扱い、上述の処理を実行するようにすればよい。
　
【００９３】（第１の実施の形態の変形例）上記第１の実施の形態では、画像入力部２により撮像された画像と表示部３に表示された画像とが線型の座標変換で対応付け可能な場合について述べた。しかし実際は、画像入力部２が備えるカメラレンズのゆがみ、及び表示部３の歪み（ＣＲＴ等、表示画面が多少湾曲しているような場合に生じる歪み）によって、入力画像に樽型歪み等の非線型歪みが生じるような場合がある。このような場合、上記第１の実施の形態では、正確な座標変換処理が不可能であるため、描画処理以前にキャリブレーション（較正）処理を行うようにする。以下、キャリブレーション処理を行う、この描画システムの変形例を、図１１〜図１４を参照して詳述する。…（略）…
【００９４】（第１の実施の形態の変形例：動作）キャリブレーション処理を含む、この変形例にかかる描画システムが行う処理全体のフローチャートを、図１１に示す。すなわち、この描画システムは、図３に示す描画処理をステップＡ２で実行するものとし、その前段階としてキャリブレーション処理（ステップＡ１）を行う。
【００９５】図１２は、キャリブレーション処理のフローチャートである。キャリブレーション処理では、この描画システムは、まず、領域の設定を行う。入力画像のどの領域を座標変換するかを予め設定する。例えば対象となる領域の四隅の座標Ａ、Ｂ、Ｃ、Ｄを…（略）…上記第１の実施の形態で詳述したように、発光部４を用いて表示部３の表示画面上の４点をポイントすることにより、領域を設定する（ステップＡ１１）。
　
【００９７】次に、この描画システムは、非線型歪みに関する情報の取得を行う（ステップＡ１２）。具体的には、例えば、表示部３の表示画面上に格子を表示させ、ユーザが、この格子の各格子点の座標をユーザ操作入力部１５のマウス等を用いて指定する。そして、中央制御部１１が、指定の結果に基づき、非線型歪みに関する情報として格子点の座標を取得する。
【００９８】キャリブレーション処理の最後に、この描画システムは、画像入力部２の撮像に関する情報の設定、特に画像入力部２が備える図示しない撮像カメラ等（撮像カメラ部）のゲインの設定を行う（ステップＡ１３）。…（略）…領域設定時では、投影像が完全に表示されるように撮像カメラのゲイン設定を行い、領域設定を行い、非線型歪みに関する情報（補正情報）を取得した後、投影像とスポットとが区別される程度に、スポットの輝度に対する投影像の輝度を絞るのが望ましい。
【００９９】また、この変形例にかかる描画システムは、座標変換処理として、図１３に示す処理を行う。まず、ステップＡ１２で取得した非線型歪みに関する情報、（即ち、格子点の座標）を利用して、スポットが含まれる格子領域を選択する（ステップＳ２４１）。次に、このスポットが含まれる格子領域に対し、図６のステップＳ２２１、Ｓ２２２の処理を行う（ステップＳ２４２）。そして座標変換処理の結果と、選択された格子領域の位置とに基づいて、領域全体におけるスポットの位置を取得する（ステップＳ２４３）。
　
　段落００９７には、表示部３の表示画面上に格子を表示させること、及び中央制御部１１が非線型歪みに関する情報として格子点の座標を取得することが記載されている。そして、段落００９８の「領域設定時では、投影像が完全に表示されるように撮像カメラのゲイン設定を行い、領域設定を行い、非線型歪みに関する情報（補正情報）を取得した後、投影像とスポットとが区別される程度に、スポットの輝度に対する投影像の輝度を絞るのが望ましい。」という記載から、格子が表示された表示部３の表示画面を画像入力部２が備える撮像カメラ等で撮像し、予め設定された領域から非線型歪みに関する情報を取得することが分かる。そして、撮像された像がキャリブレーション処理に利用されることは、明らかである。
　以上の記載事項と図３、４、６、８及び１１から１３までに示された事項とを総合すると、刊行物１には、以下の発明（以下、「引用発明」という。）が記載されている。
　
「プロジェクタ等を備える表示部３が画像を投影する投影面である表示画面上に格子を表示する工程と、
　画像入力部２が備える撮像カメラ等が前記表示部３の表示画面を撮像することにより、前記格子のキャリブレーション処理用像を求める工程と、
　前記キャリブレーション処理用像の予め設定された領域から非線型歪みに関する情報を取得する工程と、
　前記非線型歪みに関する情報と前記予め設定された領域に関する情報とを用いて、表示部３の表示画面上に表示された画像と画像入力部２が作成した画像データが表す画像との間の座標変換を行う工程と
　を含む操作者等の操作に従った画像を表示画面上に描画する画像表示装置の描画処理におけるキャリブレーション処理方法。」
　
イ．周知例１：特表平１１−５０９６６０号公報
（２ａ）第８ページ第８行から第１６行まで
「図１に示されたように、この投写表示装置は、表示用の映像を発生し且つそれらをライン２上でスクリーン４上へその映像を投写する投写器３へ供給するプレゼンテーション（提示）コンピュータ１を具えている。ビデオカメラ５がスクリーン４を観察するために配置され、インタラクション（対話）コンピュータ７へ供給されるライン６上に信号を作りだす。レーザポインタ８が設けられ、それは演説者により手持ちされるポータブルユニットである。レーザポインタ８から、インタラクションコンピュータ７へ接続されているか又はインタラクションコンピュータ７の一部として形成されている、赤外線受信機９への赤外線送信リンクがある。」
　
（２ｂ）第９ページ第６行から第１２行まで
「レーザポインタ８はスクリーン上に光のスポットを作りだし、そのスポットは投写器により投写された映像のあらゆる他の点よりも明るい。有効な大きい明るさを強化するためにビデオカメラ５の前方にフィルタを含むことが可能であり、ある場合には望ましい。かくして赤いレーザが用いられる場合には、赤いフィルタがビデオカメラ５のレンズの前方に置かれ得る。これが投写された映像の明るさに対してスクリーン上にレーザポインタにより作りだされたスポットの明るさを強化する。」
　
ウ．周知例２：特開２００１−３４４０６９号公報
【０００１】
【発明の属する技術分野】本発明は、表示画像内において、発光部を有する指示具によって指示された位置を検出するための技術に関する。
　
【００３８】
【発明の実施の形態】
Ａ．装置の構成：以下、本発明の実施の形態を実施例に基づいて説明する。図１は、本発明の一実施例としてのプレゼンテーションシステムを示す説明図である。このプレゼンテーションシステムは、プロジェクタＰＪとコンピュータＰＣとカメラＣＭとを備えている。コンピュータＰＣは、プロジェクタＰＪとカメラＣＭとに接続されている。なお、このプロジェクタＰＪは、観察面側であるスクリーンＳＣの前方から、スクリーンＳＣの表示領域に向かって画像を投射するフロントタイプの液晶プロジェクタである。
【００３９】コンピュータＰＣは、画像信号供給装置として機能し、その表示部に表示されるコンピュータ画像と同じ画像を表す画像信号を、プロジェクタＰＪに供給することができる。プロジェクタＰＪは、供給された画像信号に基づいて、スクリーンＳＣ上にコンピュータ画像（表示画像）ＤＩを投射表示する。
【００４０】説明者１０は、スクリーンＳＣ上の表示画像ＤＩ内の任意の位置を、指示具ＰＯを用いて指示しながら、説明を行う。本実施例において用いられる指示具ＰＯは、その先端部分に発光部を有している。なお、指示具としては、…（略）…レーザポインタなどを用いることができる。指示具の発光部は、赤色光などの可視光を射出してもよいし、…（略）…
【００４１】カメラＣＭは、指示具ＰＯの発光部から発せられる光成分を、すなわち、可視光や赤外光を、検知可能なＣＣＤカメラである。カメラＣＭは、表示画像ＤＩの全体が少なくとも含まれるような範囲ＣＡを撮影する。指示具ＰＯによって表示画像ＤＩ内の任意の位置が指示されている場合には、撮影された画像には、指示具ＰＯの発光部から射出された光によって形成される指示像（発光像）が含まれる。撮影画像は、カメラＣＭからコンピュータＰＣに供給される。
【００４２】…（略）…指示具がレーザポインタである場合には、カメラＣＭは、スクリーンで反射された光のみを撮影する。なお、本明細書において、「反射」とは、乱反射（散乱反射）を含む意味である。
【００４３】コンピュータＰＣは、撮影画像に対して、所定の処理を施すことによって、指示具ＰＯの先端位置ＰＰ、すなわち、指示具ＰＯの発光部によって指示された指示位置ＰＰを検出する。なお、本実施例では、検出された指示位置ＰＰは、表示画像ＤＩ内における位置（座標）で表される。指示位置ＰＰの座標は、コンピュータＰＣにおける種々の処理に利用される。コンピュータＰＣは、例えば、指示位置ＰＰにポインタやカーソルなどが重畳されたコンピュータ画像を生成し、コンピュータ画像をその表示部に表示させるとともに、プロジェクタＰＪを介してスクリーンＳＣ上に表示させる。
　
【００４８】キャプチャドライバ２２０は、カメラＣＭによって撮影される画像を、ビデオキャプチャ１６０を介してキャプチャし、キャプチャした撮影画像データを画像メモリ２７０に格納する。なお、カメラＣＭのレンズには、指示具ＰＯの発光部から発せられる光成分を透過させ、他の光成分を遮断するための光学フィルタ３００が装着される。
　
（３）対比
　本件補正発明と引用発明とを比較すると、以下のとおりである。
　引用発明の「プロジェクタ等を備える表示部３が画像を投影する投影面である表示画面」は、本件補正発明の「スクリーン」に相当する。また、引用発明の「格子」は、本件補正発明の「校正用テストパターン」に相当する。したがって、引用発明の「プロジェクタ等を備える表示部３が画像を投影する投影面である表示画面上に格子を表示する工程」は、本件補正発明の「（ａ）スクリーンに校正用テストパターンを表示する工程」に相当する。
　引用発明の「画像入力部２が備える撮像カメラ等」は、本件補正発明の「キャッチ装置」に相当し、引用発明の「画像入力部２が備える撮像カメラ等が前記表示部３の表示画面を撮像する」は、本件補正発明の「キャッチ装置が前記スクリーンを撮影する」に相当する。また、引用発明の「前記格子のキャリブレーション処理用像」は、本件補正発明の「前記校正用テストパターンの校正イメージ」に相当する。したがって、引用発明の「画像入力部２が備える撮像カメラ等が前記表示部３の表示画面を撮像することにより、前記格子のキャリブレーション処理用像を求める工程」は、本件補正発明の「（ｂ）…キャッチ装置が前記スクリーンを撮影することにより、前記校正用テストパターンの校正イメージを求める工程」に相当する。
　引用発明の「前記キャリブレーション処理用像の予め設定された領域から非線型歪みに関する情報を取得する工程」は、本件補正発明の「（ｄ）…興味のあるゾーンをスキャンして校正データを求める工程」に相当する。
　引用発明の「前記予め設定された領域に関する情報」は、本件補正発明の「予め決めた参考データ」に相当する。また、引用発明の「表示部３の表示画面上に表示された画像と画像入力部２が作成した画像データが表す画像との間の座標変換」は、表示部３の表示画面と画像入力部２との三次元空間内の相対的な位置関係を反映しているから、本件補正発明の「前記スクリーンと前記キャッチ装置間の三次元相対位置関係」に相当する。したがって、引用発明の「前記非線型歪みに関する情報と前記予め設定された領域に関する情報とを用いて、表示部３の表示画面上に表示された画像と画像入力部２が作成した画像データが表す画像との間の座標変換を行う工程」は、本件補正発明の「（ｅ）前記校正データと予め決めた参考データとを比較して前記スクリーンと前記キャッチ装置間の三次元相対位置関係を求める工程」に相当する。
　引用発明の「操作者等の操作に従った画像を表示画面上に描画する画像表示装置」及び「描画処理におけるキャリブレーション処理方法」は、それぞれ、本件補正発明の「ポイント入力システム」及び「イメージ処理における校正方法」に相当する。
　
　そうすると、本件補正発明と引用発明とは、
　
「（ａ）スクリーンに校正用テストパターンを表示する工程と、
　（ｂ）キャッチ装置が前記スクリーンを撮影することにより、前記校正用テストパターンの校正イメージを求める工程と、
　（ｄ）興味のあるゾーンをスキャンして校正データを求める工程と、
　（ｅ）前記校正データと予め決めた参考データとを比較して前記スクリーンと前記キャッチ装置間の三次元相対位置関係を求める工程と
　を含むポイント入力システムのイメージ処理における校正方法」
　
である点で一致し、以下の点で相違する。
　
（相違点）
　本件補正発明は、キャッチ装置が「光フィルタ付き」であり、「校正イメージより生成した単一又は合成のカラーチャネルイメージ」の興味あるゾーンをスキャンするのに対し、引用発明は、キャッチ装置が光フィルタ付きであることの特定はなく、「校正イメージ」自体の興味あるゾーンをスキャンする点。
　
（４）判断
　相違点について、検討する。
　引用発明と同様の、操作者等の操作に従った画像を表示画面上に描画する画像表示装置において、画像入力部が備える撮像カメラ等に光フィルタを設けることは、この出願の優先日前に周知である。例えば、周知例１には、レーザポインタ８に赤いレーザが用いられる場合には、ビデオカメラ５のレンズの前方に赤いフィルタが置かれることが記載されており（前記（２）イ．）、周知例２には、指示具ＰＯとしてレーザポインタを用いることが記載され、カメラＣＭのレンズに指示具ＰＯの発光部から発せられる光成分を透過させ、他の光成分を遮断するための光学フィルタ３００を装着することが記載されている（前記（２）ウ．）。
　そうすると、引用発明のキャッチ装置（画像入力部２が備える撮像カメラ等）に、発光部４が発するスポット光を透過させ、他の光を遮断する光フィルタを設けて「光フィルタ付き」にすることは、周知技術の単なる適用にすぎない。
　また、そのような光フィルタを設けた撮像カメラ等で撮像した校正イメージ（キャリブレーション処理用像）は、例えば赤色像のような単色像になるから、校正イメージの興味あるゾーンをスキャンすることは、必然的に「校正イメージより生成した単一又は合成のカラーチャネルイメージ」をスキャンすることになる。
　したがって、本件補正発明は、刊行物１に記載された発明（引用発明）及び周知技術に基づき、当業者が容易に発明をすることができたものであり、特許法第２９条第２項の規定により特許出願の際独立して特許を受けることができない。
　
（５）請求人の主張について
　請求人は、審判請求の理由「３．（３）［１］本願発明の要旨」において、本件補正発明が奏する効果について、以下のように主張している。
　
「本願発明は、フルカラーのイメージを使う代わりに、追加の光フィルタを使って、映写機からの赤の要素を特定するのではなく、ポイント装置からの赤の要素を特定することで既存のケースの校正用に赤のチャンネルイメージのみが得られるのであり、当該構成により、より少ない処理データ量でこの工程が効果的に高められる、という効果を奏するものです。」
　
　上記主張は、本件補正発明では、校正用に赤のチャネルイメージのみが得られることを前提にしている。しかし、本件補正発明では、フィルタ付きキャッチ装置を用いること、及び単一又は合成のカラーチャネルイメージを生成することは特定されているが、その単一又は合成のカラーチャネルイメージが赤のチャネルイメージであることまでは特定されていない。したがって、上記主張は、本件補正発明に基づくものではなく、採用することができない。
　仮に、本件補正発明の単一又は合成のカラーチャネルイメージが赤のチャネルイメージに限定されていたとしても、「（４）判断」に記載したとおり、周知例１には赤のチャネルイメージを用いることが例示されているから、そのような限定は、依然として周知技術の単なる適用の域を出ない。
　
（６）むすび
　本件補正は、特許法第１７条の２第６項において準用する同法第１２６条第５項の規定に違反するので、同法第１５９条第１項の規定において読み替えて準用する同法第５３条第１項の規定により却下すべきものである。
　
第３　本件出願に係る発明についての判断
１．本件出願に係る発明
　本件補正は、上記のとおり却下されたので、本件出願の請求項１から２４までのそれぞれに係る発明は、本件補正前の特許請求の範囲の請求項１から２４までのそれぞれに記載された事項によって特定されるとおりのものである。その中でも、請求項１に係る発明（以下、「本件発明」という。）は、以下のとおりのものである。
　
【請求項１】
　（ａ）スクリーンに校正用テストパターンを表示する工程と、
　（ｂ）キャッチ装置が前記スクリーンを撮影することにより、前記校正用テストパターンの校正イメージを求める工程と、
　（ｃ）前記校正イメージよりカラーチャネルイメージを生成する工程と、
　（ｄ）前記カラーチャネルイメージの中の興味のあるゾーンをスキャンして校正データを求める工程と、
　（ｅ）前記校正データと予め決めた参考データとを比較して前記スクリーンと前記キャッチ装置間の三次元相対位置関係を求める工程と、
　を含むことを特徴とするポイント入力システムのイメージ処理における校正方法。
　
２．原査定の拒絶の理由
　原査定の拒絶の理由Ｃは、本件出願の請求項１から１１までのそれぞれに係る発明は、いずれも、本件出願の優先日前に頒布された刊行物１から４までのそれぞれに記載された発明に基づき、当業者が容易に発明をすることができたものであるから、特許法第２９条第２項の規定により特許を受けることができないというものである。
　
　　刊行物１：特開２００２−１４００５８号公報（前掲の刊行物１）
　　刊行物２：特開２００１−３２５０６９号公報
　　刊行物３：特開２００５−１２４１３３号公報
　　刊行物４：特開２０００−３５７０５５号公報
　
３．刊行物に記載された事項・引用発明
　刊行物１に記載された引用発明は、「第２　２．（２）ア．刊行物１」に記載したとおりである。
　
４．対比・判断
　本件発明は、「第２　２．（１）補正の内容」に記載した本件補正発明から、キャッチ装置が光フィルタ付きである旨の限定と、カラーチャネルイメージが単一又は合成のカラーチャネルイメージである旨の限定とを省いたものである。
　そして、「第２　２．（４）判断」に記載したとおり、本件発明の発明特定事項をすべて含み、さらにキャッチ装置に関する限定と、カラーチャネルイメージに関する限定とを含む本件補正発明は、引用発明及び周知技術に基づいて当業者が容易に発明をすることができたものである。
　そうすると、本件発明も同様に、引用発明及び周知技術に基づいて当業者が容易に発明をすることができたものである。
　
５．むすび
　以上のとおりであるから、本件発明は、刊行物１に記載された発明（引用発明）及び周知技術に基づき、当業者が容易に発明をすることができたものであり、特許法第２９条第２項の規定により特許を受けることができない。
　したがって、他の請求項に係る発明について審理するまでもなく、本件出願は拒絶すべきものである。
　よって、結論のとおり審決する。